(57)【要約】【課題】  光源を側方から囲む複数の笠部材を、光源に対し放射方向に開閉動作する照明器具を得ること。【解決手段】  光源１１を側方から囲む複数の笠部材２，３と、駆動装置１０とを備え、駆動装置１０は、リング状の装置本体１２と、モータＭの正・逆転駆動により正転又は逆転する回転リング体１３と、装置本体１２及び回転リング体１３の一方又は他方にそれぞれの基端部を枢着する長短各一対のリンクアーム１４，１５と、赤外線感知センサ２０とを備え、装置本体１２には、壁面電源スイッチ及び赤外線感知センサ２０によるＯＮ・ＯＦＦのモード切替えスイッチ回路を備え、壁面電源スイッチ又は赤外線感知センサ２０によりモータＭが駆動すると、リンクアーム１４，１５の先端部にある笠部材２，３が光源１１に対し放射方向に開又は閉動作するからくり照明器具１である。【選択図】  図２
2017045694.tif 000002
【特許請求の範囲】
【請求項１】
光源１１と、この光源１１を側方から囲む複数の笠部材２，３と、前記笠部材２，３を駆動する駆動装置１０とを備え、
前記駆動装置１０は、リング状の装置本体１２と、この装置本体１２に装着されモータＭの正・逆転駆動により正転又は逆転する回転リング体１３と、前記装置本体１２及び前記回転リング体１３の一方又は他方にそれぞれの基端部を枢着する長短各一対のリンクアーム１４，１５と、前記装置本体１２内に赤外線感知センサ２０とを備え、
更に、前記装置本体１２には、壁面電源スイッチによるＯＮ・ＯＦＦ及び前記赤外線感知センサ２０によるＯＮ・ＯＦＦに基づくモード切替えスイッチ回路を備え、
前記長短各一対のリンクアーム１４，１５は、複数組み備えられ、且つ、それぞれの短いリンクアーム１４の先端部１４ｂが、長いリンクアーム１５の適所に枢着されるとともに、前記長短各リンクアーム１４，１５の先端部１４ｂ，１５ｂにはそれぞれ前記笠部材２，３が取付けられて構成され、
前記駆動装置１０の前記壁面電源スイッチ又は前記赤外線感知センサ２０によるＯＮ動作により前記モータＭが駆動すると、前記回転リング体１３が正転して、前記長短各一対のリンクアーム１４，１５が駆動し、これにより前記笠部材２，３が前記光源１１に対し放射方向に開動作し、
また、前記壁面電源スイッチ又は前記赤外線感知センサ２０によるＯＦＦ動作により前記モータＭが逆転駆動すると、前記回転リング体１３が逆転して、前記長短各一対のリンクアーム１４，１５が駆動し、これにより前記笠部材２，３が前記光源１１に対し放射方向に閉動作するように設けられていることを特徴とするからくり照明器具。
【請求項２】
前記装置本体１２にはスピーカー２１を備えたメロディ機能が設けられており、前記駆動装置１０の動作時にはメロディを奏でるものであることを特徴とする請求項１記載のからくり照明器具。
【請求項３】
前記装置本体１２にはモニタスイッチ２２を備えたモニタ機能が設けられており、前記モニタスイッチ２２を押すと、前記笠部材２，３が前記開動作しているものは閉動作に、また、前記閉動作しているものは開動作に、それぞれ前記駆動装置１０による動作が変換されるものであることを特徴とする請求項１記載のからくり照明器具。
【請求項４】
前記モード切替えスイッチ回路のモードは、「ＯＦＦ」「ＯＮ」「センサ切り替え」の３種類のモードを備えていることを特徴とする請求項１記載のからくり照明器具。
【発明の詳細な説明】
【技術分野】
【０００１】
本発明は、スイッチやセンサのＯＮ・ＯＦＦ操作により、光源を側方から囲む複数の笠部材が開閉動作するからくり照明器具に関する。
【背景技術】
【０００２】
室内の天井などに設けられる照明器具において、その配光が一定であるもののほかに、光量を可変することにより配光を変化させたり、また、照明の位置（高さ）を変えることで配光を替えるものが知られている。
【０００３】
この照明の位置（高さ）を変える照明器具は、器具を吊り下げているワイヤを、モータ駆動で回動して、天井に位置している器具を、所定の位置へ下降させたり、また元の位置に戻すことができるようにしている。このようにして、照明器具が天井にあるときの室内全体照明（拡散照明）と、器具を下降させたときの室内部分照明（スポット照明）を選択的に実施することができるものである。
【０００４】
また、照明器具には、光源からの光を効率よく集めて投光するための反射板を有するものが知られており、更にその反射板が可変に設けられていて、室内の照度を可変することができるもの（特許文献１）や、導光体を設けて配光を変更するもの（特許文献２）が提案されている。
【先行技術文献】
【特許文献】
【０００５】
【特許文献１】特開平７−２２０５１３号公報
【特許文献２】特開２００７−８０５３９号公報
【発明の概要】
【発明が解決しようとする課題】
【０００６】
前記の照明器具のうちモータ駆動でワイヤを回動して器具を昇降させるものは、その駆動装置が大掛かりとなって費用も高騰する不都合がある。
【０００７】
また、特許文献１の照明器具は、その特許請求の範囲に記載されているように、光源を取り囲みつつ支持する反射板を備えた照明器具であって、反射板がその中央の折辺から二つに分割されて形成された分割部分と、各分割部分の前記折辺とは反対側の端辺に沿って照明器具フレームとの間に設けられた第一の回動軸と、第一の回動軸と平行に折辺に沿って設けられた第二の回動軸と、ハの字形に開閉自在に構成され、第二の回動軸で前記分割部分に対し回動可能に設けられたカバープレートと、第二の回動軸と平行に設けられ、前記カバープレートを相互に開閉可能とする第三の回動軸と、を有する可変反射板を備えた照明器具である。
【０００８】
この可変反射板を有する照明器具は、二つの分割部分が第一の回動軸の回りで回動して反射板の中央の折辺の部分が折れて突出し、これにより光源も突出する構成であり、基本的に天井面からの光源の動的な出没により配光を替えるものである。
【０００９】
前記特許文献２の照明器具は、透光性を有する導光体を、器具本体に対して光源の光が出射する方向を変化させるように回動可能に連結したものである。
【００１０】
本発明は、これらの照明器具とは異なり、光源を側方から囲む複数の笠部材を備えて、これらの笠部材を、光源に対し放射方向に開動作又は閉動作するように構成したからくり照明器具を提案するものである。
【課題を解決するための手段】
【００１１】
本願第１請求項に記載した発明は、実施例で用いた符号を付して記すと、光源１１と、この光源１１を側方から囲む複数の笠部材２，３と、前記笠部材２，３を駆動する駆動装置１０とを備え、
前記駆動装置１０は、リング状の装置本体１２と、この装置本体１２に装着されモータＭの正・逆転駆動により正転又は逆転する回転リング体１３と、前記装置本体１２及び前記回転リング体１３の一方又は他方にそれぞれの基端部を枢着する長短各一対のリンクアーム１４，１５と、前記装置本体１２内に赤外線感知センサ２０とを備え、
更に、前記装置本体１２には、壁面電源スイッチによるＯＮ・ＯＦＦ及び前記赤外線感知センサ２０によるＯＮ・ＯＦＦに基づくモード切替えスイッチ回路を備え、
前記長短各一対のリンクアーム１４，１５は、複数組み備えられ、且つ、それぞれの短いリンクアーム１４の先端部１４ｂが、長いリンクアーム１５の適所に枢着されるとともに、前記長短各リンクアーム１４，１５の先端部１４ｂ，１５ｂにはそれぞれ前記笠部材２，３が取付けられて構成され、
前記駆動装置１０の前記壁面電源スイッチ又は前記赤外線感知センサ２０によるＯＮ動作により前記モータＭが駆動すると、前記回転リング体１３が正転して、前記長短各一対のリンクアーム１４，１５が駆動し、これにより前記笠部材２，３が前記光源１１に対し放射方向に開動作し、
また、前記壁面電源スイッチ又は前記赤外線感知センサ２０によるＯＦＦ動作により前記モータＭが逆転駆動すると、前記回転リング体１３が逆転して、前記長短各一対のリンクアーム１４，１５が駆動し、これにより前記笠部材２，３が前記光源１１に対し放射方向に閉動作するように設けられていることを特徴とするからくり照明器具である。
【００１２】
本願第２請求項に記載した発明は、請求項１において、前記装置本体１２にはスピーカー２１を備えたメロディ機能が設けられており、前記駆動装置１０の動作時にはメロディを奏でるものであることを特徴とするからくり照明器具である。
【００１３】
本願第３請求項に記載した発明は、請求項１において、前記装置本体１２にはモニタスイッチ２２を備えたモニタ機能が設けられていて、前記駆動装置１０による動作は、前記モニタスイッチ２２を押すと、前記笠部材２，３が前記開動作しているものは閉動作に、また、前記閉動作しているものは開動作に、それぞれ変換されるものであることを特徴とするからくり照明器具である。
【００１４】
本願第４請求項に記載した発明は、請求項１において、前記モード切替えスイッチ回路のモードは、「ＯＦＦ」「ＯＮ」「センサ切り替え」の３種類のモードを備えていることを特徴とするからくり照明器具である。
【発明の効果】
【００１５】
本発明は、光源を側方から囲む複数の笠部材を備えて、これらの笠部材を、光源に対し放射方向に開動作又は閉動作するように構成されるので、笠部材の開動作により各笠部材が光源に対し放射方向に移動して、室内全体照明（拡散照明）を実現することができ、また、閉動作により各笠部材が光源に対し収斂する方向に移動して、室内部分照明（スポット照明）を実現することができる。このように、本発明によれば、拡散照明とスポット照明を選択的に実施することの可能なからくり照明器具を得ることができる。
【図面の簡単な説明】
【００１６】
【図１】本発明の実施例に係り、笠部材が閉状態のときの照明器具を示す外観図である。
【図２】本発明の実施例に係り、笠部材が開状態のときの照明器具を示す外観図である。
【図３】本発明の他の実施例に係り、笠部材が閉状態のときの照明器具を示す側面図である。
【図４】本発明の他の実施例に係り、笠部材が閉状態のときの照明器具を上方から見た斜視図である。
【図５】本発明の他の実施例に係り、笠部材が閉状態のときの照明器具を側方から見た示す側面図である。
【図６】本発明の他の実施例に係り、笠部材が閉状態のときの照明器具を下方から見た斜視図である。
【図７】本発明の他の実施例に係り、笠部材が閉状態のときの照明器具を示す平面図である。
【図８】本発明の他の実施例に係り、笠部材が閉状態のときの照明器具を示す底面図である。
【図９】本発明の他の実施例に係り、笠部材が開状態のときの照明器具を示す側面図である。
【図１０】本発明の他の実施例に係り、笠部材が開状態のときの照明器具を上方から見た斜視図である。
【図１１】本発明の他の実施例に係り、笠部材が開状態のときの照明器具を側方から見た示す側面図である。
【図１２】本発明の他の実施例に係り、笠部材が開状態のときの照明器具を下方から見た斜視図である。
【図１３】本発明の他の実施例に係り、笠部材が開状態のときの照明器具を示す平面図である。
【図１４】本発明の他の実施例に係り、笠部材が開状態のときの照明器具を示す底面図である。
【図１５】本発明の他の実施例に係り、長短一対のリンクアームを示すものであって、（１）は平面図、（２）は側面図である。
【図１６】本発明の他の実施例に係り、長短一対のリンクアームを示すものであって、（１）は平面図、（２）は側面図である。
【図１７】本発明の他の実施例に係り、回転リング体を示す平面図である。
【図１８】本発明の他の実施例に係り、回転リング体を駆動する輪列を示す平面図である。
【図１９】本発明の他の実施例に係り、回転リング体を示す側面図である。
【図２０】本発明の他の実施例に係り、照明器具の動作フローを示す図である。
【図２１】本発明の他の実施例に係り、照明器具の動作フローを示す図である。
【発明を実施するための形態】
【００１７】
以下、本発明の照明器具を図面に示す一実施例に基づいて説明する。
【００１８】
図１及び図２に示すように、本例の照明器具１は、光源を側方から囲む複数の笠部材２，３を備えて、これらの笠部材２，３を、光源に対し放射方向に開動作又は閉動作するように設けて構成されている。
【００１９】
更に、図３〜図１９に示すように、本例の照明器具１は、笠部材２，３を駆動する駆動装置１０を備える。図中、１１は光源である。尚、光源１１にはＡＣ電源が用いられており、また、駆動装置１０には、このＡＣ電源をＤＣに変換したものを用いている。
【００２０】
駆動装置１０は、リング状の装置本体１２と、この装置本体１２に装着されモータの正・逆転駆動により正転又は逆転する回転リング体１３と、装置本体１２及び回転リング体１３の一方又は他方にそれぞれの基端部１４ａ，１５ａを枢着する長短各一対のリンクアーム１４、１５と、を備える。
【００２１】
すなわち、前記長短各一対のリンクアーム１４，１５は、複数組み備えられ、且つ、それぞれの短いリンクアーム１４の先端部１４ｂが、長いリンクアーム１５の適所に枢着される（図１５〜図１６参照）とともに、少なくとも前記各長いリンクアーム１５には、その先端部１５ｂに前記笠部材２が取付けられて構成されている。
【００２２】
上記の図１５〜図１６に示すように、本例では、長いリンクアーム１５の中間部位にブラケット１６を固着し、このブラケット１６に、短いリンクアーム１４の先端部１４ｂを枢着している。
【００２３】
また、長短各一対のリンクアーム１４，１５の基端部１４ａ，１５ａは、装置本体１２又は回転リング体１３に枢着され得るように、筒状体を形成しており、これらの筒状体が、例えば図１３に示すように、それぞれ装置本体１２の枢着用凸部１２ａ或は回転リング体１３の枢着用軸部１３ａに回転可能に取付けられている。
【００２４】
本例では、長いリンクアーム１５に取付けられる笠部材２のほかに、前記各短いリンクアーム１４にもその先端部１４ｂに笠部材３が取付けられている。尚、各笠部材２，３の取付けは、それぞれが下端部においてなされている。
【００２５】
これらの笠部材２，３は、円曲面を呈しており、後述するように、笠部材２，３が閉動作した際に、それぞれの笠部材２，３は筒状に収束されて、側方から光源１１を二重円筒状に覆うように設けられている。もっとも、短いリンクアーム１４に笠部材３が取付けられていない場合は、光源１１の覆いは一重となる。
【００２６】
このように光源１１が側方から覆われるので、室内部分照明（スポット照明）を実現することができる。
【００２７】
また、笠部材２，３が開動作した際には、各長いリンクアーム１５の各笠部材２の間に、各短いリンクアーム１４の各笠部材３が位置するように設けられている。
【００２８】
笠部材２，３が開動作すると、各長いリンクアーム１５の各笠部材２の間に、各短いリンクアーム１４の各笠部材３が位置するので、室内全体照明（拡散照明）を実現することができる。
【００２９】
次に、駆動装置１０の詳細を説明する。本例の駆動装置は、前述したように、リング状の装置本体１２と、この装置本体１２に装着されモータの正・逆転駆動により正転又は逆転する回転リング体１３を備える。
【００３０】
装置本体１２は、天井に吊り下げられる光源１１の下方に位置し、光源周りの部材に連係して設けられている。本例では、図６に示すように、装置本体１２内に赤外線感知センサ２０と、スピーカー２１を備えたメロディ機能及びモニタスイッチ２３を備えたモニタ機能が設けられている。尚、前述したように、装置本体１２には枢着用凸部１２ａが設けられている。
【００３１】
回転リング体１３は、本例の場合、装置本体１２にモータＭとこれに駆動連係する輪列１７を設け、他方、回転リング体１３には内周に内周歯車１９を設け、輪列１７の先端歯車１８を内周歯車１９に噛み合わせて、モータＭの駆動により輪列１７を介して、回転リング体１３を正転又は逆転するものである。尚、前述したように、回転リング体１３には枢着用軸部１３ａを設けている。
【００３２】
以上のように構成される本例の照明器具１は、図示を省略した壁面電源スイッチのＯＮ・ＯＦＦや、赤外線感知センサ２０により感知（ＯＮ）、非感知（ＯＦＦ）がなされて、駆動装置１０のモータＭが駆動すると、回転リング体１３が正転又は逆転して、前記長短各一対のリンクアーム１４，１５が駆動し、これにより笠部材２，３が光源に対し放射方向に開動作又は閉動作する。
【００３３】
すなわち、壁面電源スイッチや赤外線感知センサ２０などにより動作の切替えがなされ、例えば駆動装置１０のモータＭが駆動すると、回転リング体１３が正転して、前記長短各一対のリンクアーム１４，１５が駆動し、これにより笠部材２，３が光源に対し放射方向に開動作する（図９〜図１４参照）。
【００３４】
本例の場合、当初それぞれの笠部材２，３が筒状に収束されていて光源１１を側方から二重に覆うように設けられている図３〜図８に示す状態（閉動作状態）から、回転リング体１３が回転を始めると、長短各一対のリンクアーム１４，１５の基端部１４ａ，１５ａが、装置本体１２及び回転リング体１３の相対的回転によって接近して、短いリンクアーム１４の先端部１４ｂが、長いリンクアーム１５を、広げる方向に押圧し（図１３〜図１４参照）、これにより、長短各一対のリンクアーム１４，１５の各笠部材２，３が、光源１１に対し放射方向に開動作していく。
【００３５】
更に押し広げて各笠部材２，３の開動作が進み、爾後、回転リング体１３の回転が停止すると、図１０〜図１２に示すように、各長いリンクアーム１５の各笠部材２の間に、各短いリンクアーム１４の各笠部材３が位置する。これにより、前述したように室内全体照明（拡散照明）を実現することができる。尚、上記開動作の場合は、前記メロディ機能が作動して、スピーカー２１から所定のメロディが流れるようになされている。
【００３６】
また、壁面電源スイッチや赤外線感知センサ２０などによりＯＦＦ動作がなされて、駆動装置１０のモータＭが逆転駆動すると、回転リング体１３が逆転して、前記長短各一対のリンクアーム１４，１５が駆動し、これにより笠部材２，３が光源に対し放射方向に閉動作する（図３〜図８参照）。
【００３７】
すなわち、回転リング体１３が逆回転を始めると、長短各一対のリンクアーム１４，１５の基端部１４ａ，１５ａが、装置本体１２及び回転リング体１３の相対的回転によって離間して、短いリンクアーム１４の先端部１４ｂが、長いリンクアーム１５を、引っ張る方向に動作し、これにより、長短各一対のリンクアーム１４，１５の各笠部材２，３が、光源１１に対し放射方向に閉動作していく。
【００３８】
更に各笠部材２，３の閉動作が進み、爾後、回転リング体１３の回転が停止すると、それぞれの笠部材２，３は筒状に収束されて、光源１１を側方から二重に覆うように設けられる。これにより、前述したように室内部分照明（スポット照明）を実現することができる。
【００３９】
ところで、駆動装置１０には、モード切替えスイッチ回路が設けられており、これには３種類のモード、「ＯＦＦ」「ＯＮ」「センサ切り替え」が備えられている。これら３種類のモードに切り替えられることにより、異なる動作を行う。ここで「動作」とは、前記開動作又は閉動作をいう。
【００４０】
モード切替えスイッチ（以下、「ＳＷ」という。）が「ＯＦＦ」のときは、駆動装置１０は動作しない。また、動作中にＳＷを「ＯＦＦ」にした場合、動作及びメロディを停止する。
【００４１】
図２０に示すように、ＳＷが「ＯＮ（センサ感知対応）」のときは、「赤外線感知センサ２０」又は「壁面電源スイッチＯＦＦ」を感知して動作する。
【００４２】
本例では、ＳＷを「ＯＮ（センサ感知対応）」に切替えると点灯し、その後、１０秒間はセンサ感知は行われない。爾後、赤外線感知センサ２０に反応があると、メロディとともに開動作が行われる。開動作終了後（笠部材２，３が完全に開いた後）、赤外線感知センサ２０に１分、反応がないと、閉動作に移る。このときメロディは鳴らない。
【００４３】
上記の閉動作中に、赤外線感知センサ２０に反応があれば、開動作に移る。このとき、メロディは鳴らない。
【００４４】
また、壁面電源スイッチを「ＯＦＦ」にすると、メロディとともに閉動作が行われる。この場合、壁面電源スイッチ「ＯＦＦ」の動作を、「赤外線センサ感知」に優先する。
【００４５】
更に、図２１に示すように、ＳＷが「ＯＮ（センサ感知なし）」のときは、「赤外線感知センサ２０」が作動せず、壁面電源スイッチのＯＮ・ＯＦＦに同期して動作する。
【００４６】
本例では、前述したように、装置本体１２にはモニタスイッチ２２を備えたモニタ機能が設けられている。このモニタ機能において、モニタスイッチ２２を押すと、笠部材２，３が開動作しているものは閉動作に、また、閉動作しているものは開動作に、それぞれ駆動装置１０の動作が変換される。
【００４７】
以上説明したように、本例の照明器具１は、笠部材２，３の開動作により各笠部材２，３が光源１１に対し放射方向に移動して、室内全体照明（拡散照明）を実現することができ、また、閉動作により各笠部材２，３が光源１１に対し収斂する方向に移動して、室内部分照明（スポット照明）を実現することができる。このように、本例の照明器具１によれば、拡散照明とスポット照明を選択的に実施することの可能なからくり照明器具を得ることができる。
【００４８】
本発明は、実施例で用いた構成、態様のものに限られないことは勿論であり、また、各構成部材も適宜のものを用いることができるものである。
【産業上の利用可能性】
【００４９】
本発明の照明器具は、屋内の天井のみならず照明を必要とする箇所一般に好適に実施することができる。
【符号の説明】
【００５０】
１    照明器具
２    笠部材
３    笠部材
１０    駆動装置
１１    光源
１２    装置本体
１２ａ    枢着用凸部
１３    回転リング体
１３ａ    枢着用軸部
１４    リンクアーム（短）
１４ａ    基端部
１４ｂ    先端部
１５    リンクアーム（長）
１５ａ    基端部
１５ｂ    先端部
１６    ブラケット
１７    輪列
１８    先端歯車
１９    内周歯車
２０    赤外線感知センサ
２１    スピーカー
２２    モニタスイッチ
Ｍ    モータ
【図１】
2017045694.tif 000003
【図２】
2017045694.tif 000004
【図３】
2017045694.tif 000005
【図４】
2017045694.tif 000006
【図５】
2017045694.tif 000007
【図６】
2017045694.tif 000008
【図７】
2017045694.tif 000009
【図８】
2017045694.tif 000010
【図９】
2017045694.tif 000011
【図１０】
2017045694.tif 000012
【図１１】
2017045694.tif 000013
【図１２】
2017045694.tif 000014
【図１３】
2017045694.tif 000015
【図１４】
2017045694.tif 000016
【図１５】
2017045694.tif 000017
【図１６】
2017045694.tif 000018
【図１７】
2017045694.tif 000019
【図１８】
2017045694.tif 000020
【図１９】
2017045694.tif 000021
【図２０】
2017045694.tif 000022
【図２１】
2017045694.tif 000023